(57)【要約】【課題】  駆動電極に電界を与えたときの検知電極での検知出力の分解能を高め、いわゆる空間ジェスチャーの検出を高精度に行える静電容量型の入力装置を提供する。【解決手段】  基板の表面に配列している電極１２は、全て互いに導通していない独立電極である。電極１２が順番に選択されて駆動電極Ｄに設定され、駆動電極Ｄに矩形波の駆動電力２８が与えられる。駆動電極Ｄに隣接する電極１２が検知電極Ｓ０，Ｓ１，Ｓ２，Ｓ３，Ｓ４，Ｓ５，Ｓ６，Ｓ７に設定される。単一の駆動電極Ｄに駆動電力２８が与えられるため、駆動電極Ｄからの電界が各方向に均一に広がることになり、これにより空間ジェスチャーの操作であっても、高い分解能で検知することができる。【選択図】図４
2015049771.tif 000002
【特許請求の範囲】
【請求項１】
基板上に複数の電極が配置されて、選択された電極に駆動電力が与えられ、いずれかの電極から検知出力が得られる静電容量型の入力装置において、
全ての前記電極は互いに絶縁されて容量結合された独立電極であり、前記独立電極から選択された駆動電極に駆動電力を与えるとともに、前記駆動電極と隣接する複数の前記電極から検知出力を得る駆動制御部が設けられていることを特徴とする静電容量型の入力装置。
【請求項２】
前記駆動制御部では、所定の領域内の全ての電極を順次駆動電極として選択し、前記領域のうちの駆動電極として選択されている電極以外の各電極から得られる検知出力に基づいて、前記基板に接近した操作体の中心座標が算出される請求項１記載の静電容量型の入力装置。
【請求項３】
それぞれの電極からの検知出力に基づき、二次関数補間法によって前記中心座標が算出される請求項２記載の静電容量型の入力装置。
【請求項４】
前記電極が順番に駆動電極として選択されて、同じ電極から複数の検知出力が得られ、この複数の検知出力の平均値が、その電極からの正規検知出力として使用される請求項１ないし３のいずれかに記載の静電容量型の入力装置。
【請求項５】
前記独立電極は、基板表面に沿って互いに直交する第１の方向と第２の方向に向けて配列しており、
前記駆動制御部では、選択された独立電極と第１の方向と第２の方向に隣接する電極から検知出力を得て、第１の方向ならびに第２の方向との間で独立電極と隣接する残りの電極については、第１の方向と第２の方向に隣接する電極から得られた検知出力を用いて補間検知出力が算出される請求項１ないし４のいずれかに記載の静電容量型の入力装置。
【請求項６】
前記補間検知出力は、前記検知出力を用いて一次関数補間法により算出される請求項５記載の静電容量型の入力装置。
【請求項７】
それぞれの独立電極に接続されている配線層は、前記独立電極の下側に絶縁層を介して配置されている請求項１ないし６のいずれかに記載の静電容量型の入力装置。
【発明の詳細な説明】
【技術分野】
【０００１】
本発明は、複数の電極を備えて、指や手の平などの操作体が接近していることを検知する静電容量型の入力装置に関する。
【背景技術】
【０００２】
特許文献１には、静電容量型の入力装置が開示されている。
【０００３】
この入力装置は、Ｘ方向に連続する複数の第１の検知電極と、Ｙ方向に連続する複数の第２の検知電極とが互いに絶縁されて設けられ、第１の検知電極と第２の検知電極とが容量結合されている。駆動時には、複数の第１の検知電極と複数の第２の検知電極との静電容量が順次計測される。指がタッチしているときの検知電極間の静電容量と、指がタッチしていないときの前記静電容量とを比較することで、指のタッチ位置を検知できるようになっている。
【先行技術文献】
【特許文献】
【０００４】
【特許文献１】特開２０１３−１３４６９８号公報
【発明の概要】
【発明が解決しようとする課題】
【０００５】
特許文献１に記載された静電容量型の入力装置はタッチパネルであり、パネル表面に接触した指の位置を検知することを目的としている。
【０００６】
一方、最近では、入力装置の表面からある程度離れた位置に指や手の平が接近したときに、指や手の平の接近位置の座標を検知するいわゆる空間ジェスチャーを検知できる入力装置が求められている。この空間ジェスチャーの検知では、それぞれの電極間の静電容量の変化を高い分解能で検知することが必要である。
【０００７】
しかし、特許文献１などに記載された従来の入力装置では、複数の検知電極がＸ方向とＹ方向へ連続して延びているため、検知電極に駆動電力を与えたときの検知電極の周囲の電界は、検知電極の連続方向に沿って細長く延びることになる。そのため、空間ジェスチャーにおいて指や手の平が接近した位置を高い分解能で検知するのが難しくなる。特に、複数の指の接近を個別に精度良く検知するのは困難である。
【０００８】
本発明は上記従来の課題を解決するものであり、指や手の平などの接近位置を高い分解能で検知することができる静電容量型の入力装置を提供することを目的としている。
【課題を解決するための手段】
【０００９】
本発明は、基板上に複数の電極が配置されて、選択された電極に駆動電力が与えられ、いずれかの電極から検知出力が得られる静電容量型の入力装置において、
全ての前記電極は互いに絶縁されて容量結合された独立電極であり、前記独立電極から選択された駆動電極に駆動電力を与えるとともに、前記駆動電極と隣接する複数の前記電極から検知出力を得る駆動制御部が設けられていることを特徴とするものである。
【００１０】
本発明の静電容量型の入力装置は、使用されている電極が互いに接続されていない独立電極である。独立電極に駆動電力が与えられると、電極から限られた範囲に電界が発生するため、指などを近づけたときの検知出力の分解能が高くなり、いわゆる空間ジェスチャー操作においても、基板表面から離れた位置の複数の指などの位置座標を比較的高精度に検知できるようになる。
【００１１】
本発明における前記駆動制御部では、所定の領域内の全ての電極を順次駆動電極として選択し、前記領域のうちの駆動電極として選択されている電極以外の各電極から得られる検知出力に基づいて、前記基板に接近した操作体の中心座標が算出されるものである。
【００１２】
例えば、それぞれの電極からの検知出力に基づき、二次関数補間法によって前記中心座標が算出される。
【００１３】
本発明の静電容量型の入力装置は、前記電極が順番に駆動電極として選択されて、同じ電極から複数の検知出力が得られ、この複数の検知出力の平均値が、その電極からの正規検知出力として使用されることが好ましい。
【００１４】
同じ電極から複数回の検知出力が得られるときに、検知出力の平均値を求めることで、その電極から安定した検知出力を得ることができる。
【００１５】
本発明は、前記独立電極は、基板表面に沿って互いに直交する第１の方向と第２の方向に向けて配列しており、前記駆動制御部では、選択された独立電極と第１の方向と第２の方向に隣接する電極から検知出力を得て、第１の方向ならびに第２の方向との間で独立電極と隣接する残りの電極については、第１の方向と第２の方向に隣接する電極から得られた検知出力を用いて補間検知出力が算出されるものとして構成できる。
【００１６】
例えば、前記補間検知出力は、前記検知出力を用いて一次関数補間法により算出される。
【００１７】
上記補間を行うことにより、駆動電極に隣接する全ての電極から検知出力を得なくても、実質的に駆動電極の周辺の全ての電極に検知出力を割り振ることができ、回路負担を軽減して正確な検出ができるようになる。
【００１８】
本発明は、それぞれの独立電極に接続されている配線層は、前記独立電極の下側に絶縁層を介して配置されているものである。
【００１９】
上記構成では、基板表面に配線層が現れないので、電極と配線層との間の容量が検知出力に与える影響を軽減できる。また、基板表面の狭い領域に配線層を設ける必要がなくなって、基板表面の電極配置にゆとりを持たせることができる。さらに配線層の断面を大きくでき配線層の抵抗値も低くできる。
【発明の効果】
【００２０】
本発明の静電容量型の入力装置は、独立電極が駆動電極として選択され、駆動電極に隣接する独立電極が検知電極として使用されるため、指などが接近したことを検知するときの分解能を高くでき、基板表面から離れた位置の複数の指の位置も高精度に検知できるようになる。この入力装置により、いわゆる空間ジェスチャーの入力操作を高精度に検知できるようになる。
【図面の簡単な説明】
【００２１】
【図１】本発明の実施の形態の静電容量型の入力装置の電極配置を示す平面図、
【図２】図１に示す入力装置をＩＩ線で切断した断面の拡大図、
【図３】駆動電極からの電界を示す説明図、
【図４】駆動電極と検知電極との配置を示す部分平面図、
【図５】選択する駆動電極が移動したときの駆動電極と検知電極との配置を示す部分平面図、
【図６】選択する駆動電極が移動したときの駆動電極と検知電極との配置を示す部分平面図、
【図７】二次関数補間法によって接近した指の中心位置を求めるための説明図、
【図８】２つの指が接近したことを検知するイメージパターンの説明図、
【図９】限られた数の電極からの検知出力に基づいて、他の電極の補間検知出力を求める説明図、
【図１０】限られた数の電極からの検知出力に基づいて、他の電極の補間検知出力を求める説明図、
【図１１】限られた数の電極からの検知出力に基づいて、他の電極の補間検知出力を求める説明図、
【図１２】電極の形状の変形例を示す拡大平面図、
【発明を実施するための形態】
【００２２】
図１に示す本発明の実施の形態の静電容量型の入力装置１は、検知パネル１０と駆動制御部２０とで構成されている。
【００２３】
検知パネル１０は基板１１を有している。基板１１の表面１１ａに複数の電極１２が設けられている。図１に示すように、検知領域の電極１２は、いずれも互いに導通されていない独立電極である。電極１２は、第１の方向であるＸ方向へ一定のピッチで規則的に配置され、第２の方向であるＹ方向へ一定のピッチで規則的に配置されている。
【００２４】
図１に示すように、それぞれの電極１２は四角形でさらに詳しくは正方形であり、幅寸法Ｗ１，Ｗ２が１０ｍｍ程度、隣接する電極１２の間隔Ｓは２ｍｍ程度である。
【００２５】
図２の断面図に示すように、基板１１は多層基板である。基板１１の下層の内部に複数の配線層１３が埋設されている。図１に示すように、個々の配線層１３の先端部１３ａは、基板１１の内部に形成された接続層１４を介して個々の電極１２に個別に接続されている。電極１２に接続された接続層１４は、他の複数の電極１２の下側を通過し、図１に示すように、配線層１３の基端部１３ｂが、基板１１の下縁部に位置しているコネクタ部１５に接続されている。
【００２６】
図２に示すように、基板１１の上層の内部にシールド層１６が埋設されている。シールド層１６の複数か所に穴１６ａが開口しており、前記接続層１４が穴１６ａの内部を通過している。シールド層１６は、電極１２と配線層１３との間に位置して接地電位に設定されており、基板１１の表面１１ａに接近する人の指や手の平などと配線層１３との間に実質的に静電容量が形成されず、配線層１３が検知出力にノイズを与えないようになっている。
【００２７】
検知パネル１０は、各種電子機器の操作パネルに配置され、電極１２の表面が非導電性のカバー層で覆われて使用される。また、検知パネル１０の背部にカラー液晶パネルなどの表示パネルが配置されるときは、検知パネル１０の全体が透光性材料で形成されて、検知パネル１０を透過して表示パネルの表示内容を目視できるように構成される。
【００２８】
図１に示す駆動制御部２０は、検知パネル１０に付属した回路基板に実装されており、ＣＰＵとメモリなどで構成されている。図１では、駆動制御部２０内の複数の機能回路と機能部とがブロックごとに分けられて符号が付されて記載されているが、これら機能部は、メモリに格納されたソフトウエアに基づいてＣＰＵによって実行される。
【００２９】
駆動制御部２０に切換え回路２１が設けられている。検知パネル１０において、それぞれの電極１２に個別に接続されている全ての配線層１３が、コネクタ部１５を通過して、切換え回路２１に接続されている。
【００３０】
駆動制御部２０に駆動回路２２と検知回路２３が設けられている。駆動回路２２は切換え回路２１で切換えられて、独立しているそれぞれの電極１２に順番に接続される。
【００３１】
図４ないし図６では、第１の方向（Ｘ方向）に向けて一定のピッチで並ぶ電極１２の行が、Ｘ１，Ｘ２，Ｘ３，・・・で示され、第２の方向（Ｙ方向）に向けて一定のピッチで並ぶ電極１２の列が、Ｙ１，Ｙ２，Ｙ３，・・・で示されている。図４では、Ｙ２列でＸ２行に位置する電極１２が選択され、駆動回路２２に接続されて駆動電極Ｄとなっている。図５では、Ｙ３列でＸ２行の電極１２が選択されて駆動電極Ｄに切換えられ、図６では、Ｙ４列でＸ２行の電極１２が選択されて駆動電極Ｄに切換えられている。
【００３２】
駆動制御部２０に設けられた検知回路２３は、切換え回路２１によって、独立電極である電極１２に順番に接続される。図４ないし図６に示すように、切換え回路２１によって、第１の方向であるＸ方向の両側で駆動電極Ｄに隣接する２か所の電極１２が検知回路２３と接続されて、検知電極Ｓ０，Ｓ１として機能し、第２の方向であるＹ方向の両側で駆動電極Ｄに隣接する２か所の電極１２が検知回路２３と接続されて、検知電極Ｓ２，Ｓ３として機能する。さらに、Ｘ方向とＹ方向との間で駆動電極Ｄに隣接する４か所の電極が検知回路２３と接続されて、検知電極Ｓ４，Ｓ５，Ｓ６，Ｓ７として機能する。
【００３３】
これらの検知電極Ｓ０，Ｓ１，Ｓ２，Ｓ３，Ｓ４，Ｓ５，Ｓ６，Ｓ７は，それぞれ駆動電極Ｄと静電容量を有して結合する。
【００３４】
検知回路２３は８チャンネルの検知部を有しており、駆動電極Ｄを囲む８か所の検知電極Ｓ０，Ｓ１，Ｓ２，Ｓ３，Ｓ４，Ｓ５，Ｓ６，Ｓ７が同時に検知回路２３の検知部に接続される。または、検知回路２３が１チャンネルの検知部を有しているものである場合には、駆動電極Ｄを囲む８か所の検知電極Ｓ０，Ｓ１，Ｓ２，Ｓ３，Ｓ４，Ｓ５，Ｓ６，Ｓ７が、切換え回路２１によって短時間に切換えられ、順番に１チャンネルの検知回路２３に接続されてもよい。
【００３５】
図４ないし図６に示すように、駆動回路２２から駆動電極Ｄに供給される駆動電力２８は、所定の電圧の短い幅の矩形波が短い間隔で繰り返えして与えられる。
【００３６】
全ての電極１２は互いに導通していない独立電極であるため、図３に示すように、駆動電極Ｄに駆動電力２８が与えられると、その電界Ｅは、駆動電極Ｄを発生スポットとしてＸ−Ｙ面内の全方向に向けてほぼ均一な強度で分布し、同じ電界強度を観測できる等強度面が、駆動電極Ｄ上でほぼ球面形状となる。このような電界分布により、操作体に対する個々の電極の検知出力の分解能を高めることができ、いわゆる空間ジェスチャーの検知も高精度に行えるようになり、複数の指の検知も容易になる。
【００３７】
駆動電極Ｄと、これを囲んでいる検知電極Ｓ０，Ｓ１，Ｓ２，Ｓ３，Ｓ４，Ｓ５，Ｓ６，Ｓ７のそれぞれとが静電容量を有して相互結合されているため、駆動電極Ｄに矩形波の駆動電力２８が印加されると、矩形波の立ち上がりと立下りのタイミングで、検知電極Ｓ０，Ｓ１，Ｓ２，Ｓ３，Ｓ４，Ｓ５，Ｓ６，Ｓ７に電流が流れる。このときの電流値すなわち検知出力は、駆動電極と検知電極との間の静電容量に依存する。相互容量結合方式を用いて隣接容量差を検出することになるため、周囲変化の影響を受けにくくなる特徴があり、分解能が向上する。
【００３８】
図３には、ほぼ接地電位の導電体の操作体である指３１が、駆動電極Ｄと検知電極Ｓ１との中間で、基板１１の表面１１ａに接近した状態が示されている。ほぼ接地電位の指３１が接近すると、駆動電極Ｄと検知電極Ｓ１との間の静電容量が実質的に変化し、駆動電力２８の矩形波の立ち上がりと立下りのタイミングで検知電極Ｓ１に流れる検知出力の電流量が減少する。他の検知電極Ｓ０，Ｓ２，Ｓ３，Ｓ４，Ｓ５，Ｓ６，Ｓ７も、指３１との距離に応じて、駆動電極Ｄとの間の静電容量が実質的に変化するため、検知出力の電流量が変化する。
【００３９】
図１に示すように、駆動制御部２０に操作判別部２４が設けられている。それぞれの検知電極Ｓ０，Ｓ１，Ｓ２，Ｓ３，Ｓ４，Ｓ５，Ｓ６，Ｓ７に接続された検知回路２３から得られる検知出力は操作判別部２４に与えられる。操作判別部２４では、複数の電極１２から得られる検知出力から、基板１１の表面１１ａに接近している操作体の形状の判別や操作体の中心座標の算出などが行われる。
【００４０】
駆動電極Ｄとなる電極１２が１個ずつ隣に移動するように順番に選択され、検知領域の全ての電極１２が駆動電極Ｄとして選択された後に、操作判別部２４では、検知領域に存在している全ての電極からの検知出力が記憶部に個別に一時的に保持される。ここでの検知領域とは、図１に示す基板１１の表面１１ａに配列している全ての電極１２を含む領域であってもよいし、表面１１ａに配列している一部の電極１２を含む限られた領域であってもよい。
【００４１】
図４ないし図６に示すように、駆動電極Ｄとなる電極１２が１個ずつ隣に移動するように順番に選択されると、同じ電極１２が検知電極として複数回選択される。例えば、Ｙ３列でＸ１行の電極１２は、図４においては検知電極Ｓ５として選択され、図５では検知電極Ｓ３として選択され、図６では検知電極Ｓ４として選択される。所定の検知領域内の全ての電極１２が駆動電極Ｄとして選択されるのに要する時間はきわめて短時間であり、その間に指３１などの位置はほとんど変化していない。そこで、同じ電極１２が、検知電極Ｓ５，Ｓ３，Ｓ４として順次選択されたときに、検知電極Ｓ５，Ｓ３，Ｓ４として検知されたそれぞれの検知出力を平均した値が正規検知出力として使用され、操作判別部２４ではこの正規検知出力を使用して操作体の判別が行われる。
【００４２】
同じ電極１２が検知電極として複数回選択されたときに、それぞれの選択時の検知出力の平均値を求めることで、その電極１２の検知出力を高精度に得ることができる。
【００４３】
なお、隣接する電極１２を駆動電極Ｄとして順番に選択するのではなく、１個置きまたは２個置きの電極１２が駆動電極Ｄとして選択されて、同じ電極１２が検知電極として選択される回数を少なくし、例えば同じ電極１２が検知電極として１回だけ選択されるようにしてもよい。
【００４４】
また、いずれかの電極１２が検知電極となったときに、そのときに選択されている複数の検知電極間の検知出力の差が求められ、この差の出力が検知出力として使用されてもよい。さらには、駆動電極Ｄを検知電極として仮定して検知出力を推定し、推定した駆動電極の検知出力と、実際に検知電極から得られている検知出力との差をその検知電極からの検知出力として使用してもよい。
【００４５】
例えば、図４において、８か所の検知電極Ｓ０，Ｓ１，Ｓ２，Ｓ３，Ｓ４，Ｓ５，Ｓ６，Ｓ７から得られている検知出力の平均値を、駆動電極Ｄを検知電極と仮定したときの検知出力として推定する。そして、検知電極Ｓ１の実際の検知出力と、推定した前記検知出力との差を、検知電極Ｓ１からの検知出力として使用する。同様に、他の検知電極Ｓ０，Ｓ２，Ｓ３，Ｓ４，Ｓ５，Ｓ６，Ｓ７についてもその検知出力と、推定した前記検知出力との差を、それぞれの検知電極からの検知出力とする。
【００４６】
このように検知出力どうしの差を求めることで、ノイズや温度ドリフト成分などを相殺することが可能である。
【００４７】
図７は、基板１１の表面１１ａに操作体として指３１が接近しているときの判別方法を示している。
【００４８】
検知領域内の全ての電極１２が駆動電極Ｄとして選択された直後に、検知領域内の全ての電極１２から得られた検知出力（正規検知出力）が記憶部に短時間だけ保持される。図７では、電極１２ａ，１２ｂ，１２ｃ，１２ｄ，１２ｅから得られた検知出力（正規検知出力）がＥａ，Ｅｂ，Ｅｃ，Ｅｄ，Ｅｅで示されている。操作判別部２４では、二次関数補間法により、検知出力Ｅａ，Ｅｂ，Ｅｃ，Ｅｄ，Ｅｅを含む、または検知出力Ｅａ，Ｅｂ，Ｅｃ，Ｅｄ，Ｅｅからの距離が最短となる二次関数ｆ（ｘ）が算出される。この二次関数ｆ（ｘ）の極値Ｅｐが得られるＸ座標ｘｐが、指３１の中心（重心）のＸ座標上の位置として算出される。
【００４９】
Ｙ方向においても図７に示すのと同じ二次関数補間法で極値となる座標が算出され、その結果、接近している指３１の中心座標を求めることができる。
【００５０】
また、隣り合う電極１２間の検知出力の差を二次関数または一次関数で補間して、出力差勾配を与え、これをＸ−Ｙ平面の全方向に展開することで、図８に示すように、検知出力に基づく操作体のイメージデータ４１，４２を生成することが可能である。このイメージデータによって、指が接近しているのかまたは手の平が接近しているのかの判別などが可能になる。
【００５１】
また、それぞれのイメージデータ４１，４２の重心を求め、または二次関数補間法で極値座標を求めることで、イメージデータ４１，４２の中心４１ａ，４２ａを算出することが可能である。
【００５２】
図４ないし図６に示した例では、駆動電極Ｄとして選択された電極１２を囲む８か所の電極１２が全て検知回路２３に接続されて検知電極Ｓ０，Ｓ１，Ｓ２，Ｓ３，Ｓ４，Ｓ５，Ｓ６，Ｓ７として選択され、８つの検知出力が得られる。これに対し、図９ないし図１１には、検知回路２３が４チャンネルの検知部しか備えておらず、駆動電極Ｄを挟む４か所の電極１２のみが検知電極として選択されて、１つの駆動電極Ｄに対して４つの検知出力のみ得られる例が示されている。
【００５３】
図９では、Ｙ３列でＸ３行の電極１２が駆動電極Ｄとして選択されている。そして、Ｘ方向で駆動電極Ｄと隣接する２つの検知電極Ｓ０，Ｓ１と、Ｙ方向で駆動電極Ｄと隣接する２つの検知電極Ｓ２，Ｓ３の合計４か所の検知電極から検知出力が得られている。
【００５４】
図１に示すように、駆動制御部２０に補間計算部２５が設けられている。補間計算部２５では、図９に示すように、４か所の検知電極Ｓ０，Ｓ１，Ｓ２，Ｓ３以外で、駆動電極Ｄに隣接する４か所の電極Ｓ４´，Ｓ５´，Ｓ６´，Ｓ７´に対して補間検知出力が算出される。補間計算部２５では一次補間法による補間計算が行われる。
【００５５】
その計算手法は、駆動電極Ｄを検知電極として仮定したときのその仮定検知出力Ｓｄを、４つの検知電極Ｓ０，Ｓ１，Ｓ２，Ｓ３からの平均値として求める。
Ｓｄ＝ΣＳｎ／４（ｎ＝０，１，２，３）
【００５６】
前記仮定検知出力Ｓｄを基準として、仮定検知出力Ｓｄと検知電極Ｓ０の検知出力との出力差に、仮定検知出力Ｓｄと検知電極Ｓ３の検知出力との出力差を加算した加算出力差を求める。仮定検知出力Ｓｄにこの加算出力差を加えた値を、第１の方向（Ｘ方向）と第２の方向（Ｙ方向）の間で駆動電極に隣接する電極Ｓ４´の補間検知出力とする。電極Ｓ４´，Ｓ５´，Ｓ６´，Ｓ７´の補間検知出力は以下の式で算出される。
【００５７】
Ｓ４´＝Ｓｄ＋（Ｓ０−Ｓｄ＋Ｓ３−Ｓｄ）
Ｓ５´＝Ｓｄ＋（Ｓ１−Ｓｄ＋Ｓ３−Ｓｄ）
Ｓ６´＝Ｓｄ＋（Ｓ１−Ｓｄ＋Ｓ２−Ｓｄ）
Ｓ７´＝Ｓｄ＋（Ｓ０−Ｓｄ＋Ｓ２−Ｓｄ）
【００５８】
図１０は、Ｙ１列に位置する電極１２が駆動電極Ｄとして選択されたときの補間計算が示されている。
【００５９】
この場合、駆動電極Ｄを検知電極と仮定したときの仮定検知出力Ｓｄは、
Ｓｄ＝ΣＳｎ／３（ｎ＝０，１，２）
で求められる。第１の方向（Ｘ方向）と第２の方向（Ｙ方向）との間で隣接している電極Ｓ３´，Ｓ４´の補間検知出力は次のようにして求められる。
【００６０】
Ｓ３´＝Ｓｄ＋（Ｓ０−Ｓｄ＋Ｓ１−Ｓｄ）
Ｓ４´＝Ｓｄ＋（Ｓ１−Ｓｄ＋Ｓ２−Ｓｄ）
【００６１】
図１１は、駆動電極Ｄが、検知領域に配置された電極１２のうちの角の電極に設定されたときの補間計算を説明するものである。
【００６２】
ここでは、駆動電極Ｄを囲む３か所の電極が検知電極Ｓ０，Ｓ１，Ｓ２に設定され、３か所の検知電極から３つの検知出力が得られている。この場合に、駆動電極Ｄとして選択されているＹ１列でＸ５行の電極１２の検知出力Ｓｄが次のようにして仮定される。
【００６３】
ａｖｇ＝（Ｓ０＋Ｓ２）／２
Ｓｄ＝ａｖｇ−（Ｓ１−ａｖｇ）
【００６４】
図１２には入力装置１に設けられる電極の変形例が示されている。
図１２に示す電極１１２は、基板１１の縦横方向であるＸ−Ｙ方向を基準としたときに菱形形状である。この場合に、駆動電極Ｄに対する第１の方向はα方向であり、第２の方向はβ方向である。前記実施の形態において、α方向をＸ方向に置き換え、β方向をＹ方向に置き換えることによって、前記実施の形態と同様にして検知出力を得ることができる。
【符号の説明】
【００６５】
１  入力装置
１０  検知パネル
１１  基板
１１ａ  表面
１２  電極
１３  配線層
１４  接続層
２０  駆動制御部
２８  駆動電力
３１  指
４１，４２  イメージデータ
ｆ（ｘ）  二次関数
Ｄ  駆動電極
Ｓ０〜Ｓ７  検知電極
【図１】
2015049771.tif 000003
【図２】
2015049771.tif 000004
【図３】
2015049771.tif 000005
【図４】
2015049771.tif 000006
【図５】
2015049771.tif 000007
【図６】
2015049771.tif 000008
【図７】
2015049771.tif 000009
【図８】
2015049771.tif 000010
【図９】
2015049771.tif 000011
【図１０】
2015049771.tif 000012
【図１１】
2015049771.tif 000013
【図１２】
2015049771.tif 000014